(57)【要約】モバイル電子通信装置が、データ・ネットワークを介してサーバーに入力データをアップロードする。装置毎にアップロードされるデータは、その装置のユーザーの生理状態または感情状態ならびにユーザーの地理的位置を示す。サーバーは個々のユーザー毎に、該個々のユーザーの感情状態および地理的位置の組み合わされた制御のもとに出力データを生成する。複数のユーザーに関連する出力データが、一つまたは複数のディスプレイ・モニタにおいてグラフィック・シンボルとして表現され、ユーザー集団の感情の地理的分布を示す。
2014535114.tif 000002
【特許請求の範囲】
【請求項１】
データ・ネットワーク上でサービスを提供する方法であって：
当該方法は、複数のユーザーのそれぞれの、複数のモバイル電子通信装置のそれぞれから、前記データ・ネットワークを介して、それぞれの入力データを受信する段階を含み、
各モバイル電子通信装置は、それぞれのセンサーおよびそれぞれのユーザー・インターフェースを有しており、
前記それぞれのセンサーは、それぞれのユーザーのそれぞれの生理状態を示すそれぞれの生理パラメータのそれぞれの値を感知するよう構成されており、
前記それぞれのユーザー・インターフェースは、それぞれのユーザーがそれぞれのモバイル電子通信装置に、それぞれの生理状態についてのそれぞれの注釈を入力できるようにするよう構成されており、
前記それぞれの入力データは：
それぞれの生理パラメータのそれぞれの値を表わすそれぞれの生理データ；および
それぞれの注釈を表わすそれぞれの注釈データを含み、
当該方法はさらに：
それぞれのユーザーのそれぞれの感情状態を判別するために前記それぞれの入力データを処理する段階と；
それぞれのモバイル電子通信装置のそれぞれの地理的位置を判別する段階と；
前記それぞれの感情状態および前記それぞれの地理的位置の組み合わされた制御のもとで、それぞれの出力データを生成する段階とを含む、
方法。
【請求項２】
前記データ・ネットワーク上の一様な所定のアドレスに、前記ユーザーのうち各ユーザーについての前記それぞれの出力データを送信する段階を含む、請求項１記載の方法。
【請求項３】
前記ユーザーのうちのある特定のユーザーの、前記複数のモバイル電子通信装置のうちの特定のものに、前記ユーザーのうちの他の各ユーザーのそれぞれの複数のモバイル電子通信装置から受信されたそれぞれの入力データから生成されたそれぞれの前記出力データを送信する段階を含む、請求項１記載の方法。
【請求項４】
前記複数のユーザーの各個別のユーザーについて、個別的なユーザー・プロファイルを決定する段階と；
前記ユーザーのうちのある特定のユーザーの、前記複数のモバイル電子通信装置のうちの特定のものに、前記ユーザーのうち前記個別的なユーザー・プロファイルにマッチするそれぞれのユーザー・プロファイルをもつ他の各ユーザーのそれぞれの複数のモバイル電子通信装置から受信されたそれぞれの入力データから生成されたそれぞれの前記出力データを送信する段階とを含む、
請求項１記載の方法。
【請求項５】
前記ユーザーのうちある特定のユーザーが、前記データ・ネットワーク上の一つまたは複数の特定の宛先アドレスを前もって特定することができるようにする段階と；
前記特定のユーザーが前記一つまたは複数の特定の宛先アドレスを指定しているかどうかを判定する段階と；
前記特定のユーザーが前もって前記一つまたは複数の特定の宛先アドレスを指定している場合にのみ、前記特定のユーザーの感情状態と前記特定のユーザーの地理的位置の組み合わされた制御のもとで生成された前記出力データを、前記一つまたは複数の特定の宛先アドレスに送る段階とを含む、
請求項１記載の方法。
【請求項６】
前記特定のユーザーが、前記特定の宛先アドレスとして、前記複数のモバイル電子通信装置のうちある特定のものの前記データ・ネットワーク上の特定のアドレスを前もって指定している、請求項５記載の方法。
【請求項７】
前記それぞれの感情状態がある所定の基準に従っている場合にのみ前記それぞれの出力データを処理することを含む、請求項１記載の方法。
【請求項８】
前記それぞれのモバイル電子通信装置が該それぞれのモバイル電子通信装置のそれぞれの地理的位置を決定するためのそれぞれのナビゲーション補助を有し、
前記それぞれの入力データが前記それぞれの地理的位置を表わすそれぞれの地理的データを含む、
請求項１記載の方法。
【請求項９】
ネットワーク・インターフェース、ユーザー・インターフェースおよびセンサー・インターフェースを有するモバイル電子通信装置であって、
前記ネットワーク・インターフェースは、当該モバイル電子通信装置とデータ・ネットワークとの間のデータ通信のために構成されており、
前記センサー・インターフェースは、当該モバイル電子通信装置のユーザーの生理状態を示す生理パラメータの値を感知するよう動作するセンサーからの信号を受信するよう構成されており、
前記ユーザー・インターフェースは、ユーザーが当該モバイル電子通信装置に前記生理状態についての注釈を入力できるようにするよう構成されており、
当該モバイル電子通信装置は、入力データを前記データ・ネットワーク上の所定のアドレスに通信するよう構成されており、
前記入力データは、それぞれの前記生理パラメータの値を表わす生理データおよび前記注釈を表わす注釈データを含む、
モバイル電子通信装置。
【請求項１０】
当該モバイル電子通信装置がユーザーの生理状態の変化を検出する際に、自動的に、前記生理データを入力データとして前記データ・ネットワーク上の前記所定のアドレスにアップロードするよう構成されている、請求項９記載のモバイル電子通信装置。
【請求項１１】
前記ユーザー・インターフェースが、一つまたは複数の所定のユーザー選択可能オプションのメニューを呈示するためのグラフィカル・ユーザー・インターフェースを含み、
前記一つまたは複数の所定のユーザー選択可能オプションの個別的なそれぞれは、ユーザーの一つまたは複数の可能な感情状態のうちの特定のものを示し、
前記ユーザー・インターフェースは、ユーザーが前記グラフィカル・ユーザー・インターフェースにおいて前記一つまたは複数のユーザー選択可能オプションのうち特定のものを選択することによって、ユーザーが生理状態についての注釈を当該モバイル電子通信装置に入力することを可能にする、
請求項９記載のモバイル電子通信装置。
【請求項１２】
当該モバイル電子通信装置が、当該モバイル電子通信装置の地理的位置を判別するよう構成されたナビゲーション補助を有しており、
前記入力データは、当該モバイル電子通信装置の地理的位置を表わす地理的データを含む、
請求項９記載のモバイル電子通信装置。
【請求項１３】
ネットワーク・インターフェース、センサー・インターフェースおよびユーザー・インターフェースをもつモバイル電子通信装置上にインストールされるよう構成されている、コンピュータ記憶媒体上に記憶された制御ソフトウェアであって：
前記ネットワーク・インターフェースは、前記モバイル電子通信装置とデータ・ネットワークとの間のデータ通信のために構成されており、
前記センサー・インターフェースは、センサーからのセンサー信号を受信するよう構成されており、前記センサーは、前記モバイル電子通信装置のユーザーの生理状態を示す生理パラメータの値を感知するよう動作し、
前記ユーザー・インターフェースは、ユーザーが前記モバイル電子通信装置と対話できるようにするよう構成されており、
当該制御ソフトウェアは：
生理パラメータの値を表わす生理データを生成するために前記センサー信号を処理するための第一の命令と；
ユーザーによって前記ユーザー・インターフェースを介して前記モバイル電子通信装置に入力された注釈を表わす注釈データを前記ユーザー・インターフェースから受領するための第二の命令と；
前記生理データおよび前記注釈データを含む入力データを生成するための第三の命令と；
前記データ・ネットワークを介して前記入力データを、前記データ・ネットワーク上の一つまたは複数の所定の宛先に送信するための第四の命令とを含む、
制御ソフトウェア。
【請求項１４】
当該制御ソフトウェアが、ユーザーの生理状態における変化を検出するための第五の命令を含んでおり、
前記第四の命令が、ユーザーの生理状態における検出された変化の際に、前記データ・ネットワーク上の前記所定のアドレスに前記入力データにおける前記生理データを自動的にアップロードするための第六の命令を含む、
請求項１３記載の制御ソフトウェア。
【請求項１５】
前記ユーザー・インターフェースはグラフィカル・ユーザー・インターフェースを有しており、
当該制御ソフトウェアは、一つまたは複数の所定のユーザー選択可能オプションのメニューを呈示するための第七の命令を含み、
前記一つまたは複数の所定のユーザー選択可能オプションの各個別的なものは、ユーザーの一つまたは複数の可能な感情状態のうちの特定のものを示し、
当該制御ソフトウェアは、ユーザーが前記グラフィカル・ユーザー・インターフェースにおいて前記一つまたは複数のユーザー選択可能オプションのうちのある特定のものを選択するのに応答して、前記注釈データを生成するための第八の命令を含む、
請求項１３記載の制御ソフトウェア。
【請求項１６】
前記モバイル電子通信装置は、前記モバイル電子通信装置の地理的位置を判別するよう構成されたナビゲーション補助を有しており、
当該制御ソフトウェアは：
前記モバイル電子通信装置の地理的位置を表わす地理的データを生成するための第九の命令と；
前記地理的データを含む前記入力データを生成するための第十の命令とを含む、
請求項１３記載の制御ソフトウェア。
【発明の詳細な説明】
【技術分野】
【０００１】
本発明は、データ・ネットワークを介して、ネットワーク・インターフェース、ユーザー・インターフェースおよびセンサー・インターフェースを有するモバイル電子通信装置にサービスを提供する方法ならびにそのようなモバイル電子通信装置にインストールされるよう構成された制御ソフトウェアに関する。
【背景技術】
【０００２】
インターネットにより、人々は、インターネット到来以前よりもずっと迅速にある種のあらかじめ決定されたプロファイルに準拠する個人を見出すことができるようになった。たとえば、人々が知識、気持ちまたは意見をインターネットを介して共有する仮想コミュニティーが前面に出てきている。「仮想コミュニティー」という表現は、チャット・ルーム、ソーシャル・ネットワーキング・ウェブサイト、掲示板、ミニブログ、企業の顧客満足度を掲示するウェブサイト、仮想世界、大規模複数参加型ゲームなどといった、特定の媒体を介して対話する個人のソーシャルなネットワークをいう。「ソーシャルなネットワーク」という表現は、個人間の相互依存または共通習慣に基づく社会的な構造をなす個人のグループをいう。そのような相互依存または共通習慣の例は、友情、血縁関係、共有される関心、共有される信条、同じイベントへの参加などである。用語「ブログ」は「ウェブ・ログ」という表現の混合であり、個人によって維持され、その個人が随時論評、イベントの記述またはグラフィックもしくはビデオのような他の素材の形で更新を投稿する型のウェブサイトをいう。用語「ミニブログ」は非常に短い投稿を特徴とするブログをいう。
【０００３】
インターネット上で提供されるコミュニティー・サービスの例は、Hyuncheol  Parkのために出願された「コミュニティー・サービス提供システムおよび方法」と題する特許文献１に記載されている。この文献の内容はここに参照により組み込まれる。特許文献１の要約書は、コミュニティー・サービスを提供するシステムおよび方法であって、所定の通信サービス・ユーザーの感情または状態についての情報を所定の情報軸に基づいて構成された感情マップ上の座標値として表現し、感情マップ上に表現された座標値に基づく座標値の間の類似性または相違性の判別結果に従って所定のイベントを生成することによって、それぞれの通信サービス・ユーザーの感情または状態が間接的に確証されることができるものを記載している。こうして、好適なイベントの生成を通じて、他のコミュニティー・メンバーに会う機会が提供されることもできる。明確のため、特許文献１の記述において使用されるところの特徴「感情マップ」は、複数の軸によって張られる抽象的な空間をいう。該複数の軸の各軸は特定の感情または心情を表わす。ユーザーがマップ上で特定の位置を選択する場合、この特定の位置は、一組の座標値によって特徴付けられる。各座標値はそれぞれの心情の強さを表わす。
【０００４】
完全を期すため、遠隔生理モニタリングおよび感情コンピューティングの分野が参照される。
【０００５】
リモート生理モニタリングの分野は、人の生命徴候のリモート感知に関係する。リモート生理モニタリングはたとえば、医療テレメトリーとも称される生体遠隔測定の分野において使用される。生体遠隔測定は、医療分野においてテレメトリーを応用して入院していない患者のさまざまな生命徴候を遠隔的にモニタリングすることに関わる。遠隔生理モニタリングはまた、たとえばスポーツおよびトレーニング・プログラムにおいても使用される。リモート生理モニタリングはさらに、必要な時と場合に捜索および救助行動を開始できるよう誰かが倒れたかどうかをチェックするために、危険な環境において使用される。
【０００６】
感情コンピューティングの分野では、人の生理パラメータをモニタリングおよび解析することによって人の感情状態を検出するために生理モニタリングを使うことが知られている。「感情コンピューティング」という表現は、人間の気持ちまたは感情を認識、解釈、処理およびシミュレートできるシステムおよび装置の分野をちう。感情コンピューティングは、コンピュータ科学、心理学、生理学および認知科学にまたがる学際的な分野である。
【先行技術文献】
【特許文献】
【０００７】
【特許文献１】米国特許出願公開第20050004923号
【非特許文献】
【０００８】
【非特許文献１】K.H.  Kim  et  al.、"Emotion  recognition  system  using  short-term  monitoring  of  physiological  signals"、Med.  Biol.  Eng.  Comput.,  2004,  42,  pp.419-427
【非特許文献２】Olivier  Villon  et  al.、"A  User-Modeling  Approach  to  Build  User's  Psycho-Physiological  Maps  of  Emotions  using  Bio-Sensors"、Proc.  IEEE  RO-MAN  2006,  The  15th  IEEE  International  Symposium  on  Robot  and  Human  Interactive  Communication,  Hatfield,  U.K.,  Sept  8,  2006,  pp.269-276,  IEEE
【発明の概要】
【発明が解決しようとする課題】
【０００９】
発明者は、一般に人は一または複数の他者と感情を共有する意欲があることを認識した。その一つの可能な理由は、個人は、自分の生活におけるストレスとなるまたは心配なイベントまたは状況に対処するときに、支持を見出すよう他者にためし台の役をさせたがるということである。もう一つの理由は、仮想コミュニティーの一員としての個人は、決定をするために、自分の感情に対する他の人々の反応において、心の友、感情的なつながりまたはインスピレーションを求めているということである。
【課題を解決するための手段】
【００１０】
したがって、発明者は、人が、自分の感情を一または複数の特定の他の個人と共有するおよび／またはある地理的領域においてある公共イベントに参加している人々の感情の生起の地理的なマップを生成することに（好ましくは匿名で）寄与することを可能にするデータ・ネットワーク、たとえばインターネット上のサービスを提案する。
【００１１】
より具体的には、発明者は、データ・ネットワーク上でサービスを提供する方法を提案する。本方法は、複数のユーザーのそれぞれの、複数のモバイル電子通信装置のそれぞれから、データ・ネットワークを介して、それぞれの入力データを受信する段階を含む。各モバイル電子通信装置は、それぞれのセンサーおよびそれぞれのユーザー・インターフェースを有する。それぞれのセンサーは、それぞれのユーザーのそれぞれの生理状態を示すそれぞれの生理パラメータのそれぞれの値を感知するよう構成されている。それぞれのユーザー・インターフェースは、それぞれのユーザーがそれぞれのモバイル電子通信装置に、それぞれの生理状態についてのそれぞれの注釈を入力できるようにするよう構成されている。それぞれの入力データは、それぞれの生理パラメータのそれぞれの値を表わすそれぞれの生理データを含む。それぞれの入力データは、それぞれの注釈を表わすそれぞれの注釈データをも含む。本方法はさらに、それぞれのユーザーのそれぞれの感情状態を判別するためにそれぞれの入力データを処理する段階と；それぞれのモバイル電子通信装置のそれぞれの地理的な位置を判別する段階と；それぞれの感情状態およびそれぞれの地理的な位置の組み合わされた制御のもとで、それぞれの出力データを生成する段階とを含む。
【００１２】
よって、前記サービスは、特定のモバイル電子通信装置のユーザーの感情状態および該ユーザーの地理的な位置を示す特定の出力データを生成する。結果として、前記特定の出力データは、前記ユーザーの環境の地理的マップ上にマッピングされることができ、前記地理的マップはたとえば同じ環境にいる一または複数の個人に対してアクセス可能にされることができる。すると、特定のユーザーの感情状態および地理的位置の組み合わせは、他者を同じ地理的位置に引き寄せる、あるいは逆にこの地理的位置を避けさせるはたらきをすることがありうる。
【００１３】
本発明のコンテキストにおいて、生理パラメータの例は：ユーザーの心拍数または脈拍数、血圧、電気皮膚反応、体温、皮膚温、熱流、呼吸数などである。生体遠隔測定およびリモート生理モニタリングの分野では、そのような生理パラメータを感知し、感知された生理パラメータの値を表わす出力信号を生成するよう構成されたセンサーが使われる。しばしば、この型のセンサーは「バイオセンサー」と称される。
【００１４】
それぞれのユーザーのそれぞれの地理的位置は、それぞれのモバイル電子通信装置に収容されているナビゲーション補助、たとえばGPS受信器に基づいて決定されてもよい。それぞれのユーザーのそれぞれの地理的位置を示す地理的データは次いで、それぞれの入力データ中に含められる。あるいはまた、それぞれのユーザーのまたはそれぞれのモバイル電子通信装置の地理的位置の変化が、それぞれのモバイル電子通信装置の外部のモニタリング・システムによって追跡される。たとえば、閉回路TV（CCTV）モニタリング・システムとコンピュータ制御される識別の組み合わせが、上記ユーザーのうちの個々のユーザーを、特定の地理的領域内に留まる間、追跡するために使用される。あるいはまた、それぞれのモバイル電子通信装置がそれぞれの信号を送信し、それに基づいて、外部受信器が、たとえば三角測量または特定受信器への近接性によって、それぞれのユーザーのそれぞれの地理的位置を決定することができる。
【００１５】
本発明では、モバイル電子通信装置におけるセンサーによって生理パラメータの値を感知することおよび前記入力データをモバイル電子通信装置からデータ・ネットワーク上の受信器、たとえばインターネット上のサーバーに通信することは、継続的な仕方で実行できる。すなわち、サービスは各特定のモバイル電子通信装置から、該特定のモバイル電子通信のユーザーに関連付けられた入力データを、逐次受信する。特定のある瞬間に受信された各入力データは、その特定の瞬間に適用可能な生理データおよび注釈データの一方または両方を含む。各特定のモバイル電子通信装置は、たとえばクロックの制御のもとに、あるいはモバイル電子通信装置がユーザーの生理状態の変化を検出する際に、データ・ネットワーク上の所定のアドレスへの入力データとして、生理データを自動的にアップロードするよう構成されていてもよい。各特定のモバイル電子通信装置は、注釈の形のユーザー入力を検出する際にデータ・ネットワークへの入力データとして注釈データを自動的にアップロードするよう構成されていてもよい。これらの動作を継続的に実行することにより、受信器は、時間を追って生理データおよび注釈データを蓄積し、モバイル電子通信装置のユーザーの感情状態および地理的位置における変化を追跡することができる。
【００１６】
上記で特定したように、モバイル電子通信装置のユーザー・インターフェースは、ユーザーが該モバイル電子通信装置に、ユーザーの（現在の）生理状態についての注釈を入力できるようにするよう構成されている。このコンテキストにおいて、人の感情状態を判別することは、その人の生理状態を示す生理パラメータ（単数または複数）の値のみが考慮される場合には難しいことを注意しておく。典型的には、生理パラメータの値は感情の強さを表わすが、必ずしも感情の誘意性は表わさない。「感情の誘意性（valence）」という表現は、心理学の分野では、感情の型を特徴付ける。正の誘意性をもつ感情の例は、幸福、満足、優しさなどである。負の誘意性をもつ感情の例は、怒り、恐れ、いらだち、悲しみである。たとえば非特許文献１または非特許文献２参照。
【００１７】
モバイル電子通信装置はたとえば、一つまたは複数の生理パラメータの値を感知するためおよび入力データをデータ・ネットワークに通信するためだけの専用装置である。あるいはまた、モバイル電子通信装置はたとえば、上記の型の専用のセンサーに接続されたまたはそのようなセンサーを収容している、スマートフォンまたは他の信頼される個人用電子通信装置を含む。
【００１８】
本発明の方法のある実施形態は、データ・ネットワーク上の一様な所定のアドレスに、上記のユーザーのうち各ユーザーについてのそれぞれの出力データを送信することを含む。用語「一様」は、上記所定のネットワーク・アドレスが上記モバイル電子通信装置のユーザーの各ユーザーについて同じであることを示すために使われている。
【００１９】
たとえば、特定の地理的領域で催されているグループ・イベントまたは公共イベントを考えてみる。一様な所定のアドレスは、そのイベントにローカルでありかつそのイベントに参加している公衆の構成員によって閲覧可能である一つまたは複数のディスプレイ・モニタをもつディスプレイ・モニタ・システムのネットワーク・アドレスである。ディスプレイ・モニタ・システムは、それぞれの出力データを、一つまたは複数のディスプレイ・モニタ・スクリーン上のそれぞれのグラフィック・シンボルとしてレンダリングするよう構成されている。それぞれのグラフィック・シンボルの色、陰影または形状が、それぞれのモバイル電子通信装置のユーザーの現在の感情状態を示し、スクリーン上のそれぞれのグラフィック・シンボルの位置がそのユーザーの現在の地理的位置を示す。よって、スクリーンが各瞬間に十分に多数のグラフィック・シンボルを呈示する場合、公衆は、一目で、その地理的領域内のどこにどのような感情が現在トリガーされているかを見ることができる。すると、スクリーンのある部分内の同様の感情の集群は、スクリーン上のその部分に対応する当該地理的領域の地理的セクションを訪れてみることの他者への推薦のはたらきをしうる。
【００２０】
もう一つの例として、いま一度、特定の地理的領域において催されているグループ・イベントまたは公共イベントを考えてみる。一様な所定のアドレスは、そのイベントの主催者のデータ処理システムのネットワーク・アドレスである。該データ処理システムは、それぞれの出力データを、ディスプレイ・モニタ・スクリーン上のそれぞれのグラフィック・シンボルとしてレンダリングするためのディスプレイ・モニタを有する。よって、主催者は、一目で、その地理的領域内のどこにどのような感情が現在トリガーされているかを見ることができる。主催者はこの情報を、たとえば複数の所定の出し物のうち特定のものを次に実行させるか否か、実行させるとしたらいつどこで実行させるかを計画するために使うことができる。あるいはまた、主催者は、負の誘意性をもつ感情を表わすグラフィック・シンボルの空間的密度における（異常な）増加がスクリーンのある部分において起こるとき、発生しつつあるトラブルの最初の徴候を検出することができることがある。
本発明の方法のある実施形態は、前記ユーザーのうちのある特定のユーザーの、前記複数のモバイル電子通信装置の特定のものに、前記ユーザーのうちの他の各ユーザーのそれぞれの複数のモバイル電子通信装置から受信されたそれぞれの入力データから生成されたそれぞれの前記出力データを送信する段階を含む。
【００２１】
よって、各個別のユーザーは、自分のモバイル電子通信装置において、前記ユーザーの他の各ユーザーに関連付けられたそれぞれの前記出力データを受信する。モバイル電子通信装置は、ディスプレイ・モニタをもつグラフィカル・ユーザー・インターフェースを有するものと想定され、受信された出力データを該ディスプレイ・モニタ上にレンダリングするよう構成されていると想定される。これは次いで、この特定のユーザーが、自分のモバイル電子通信装置上で、他のユーザーの感情状態および地理的位置を見ることができるようにする。これは次いで、自分が今いる以外の別の地理的セクションを訪れてみるまたはある特定の地理的セクションを訪れるのを避けることのこの特定のユーザーに対する推薦のはたらきをしうる。
【００２２】
本発明の方法のあるさらなる実施形態は、前記複数のユーザーの各個別のユーザーについて、個別的なユーザー・プロファイルを決定する段階と；前記ユーザーのうちの特定のユーザーの、前記複数のモバイル電子通信装置の特定のものに、前記ユーザーのうち前記個別的なユーザー・プロファイルにマッチするそれぞれのユーザー・プロファイルをもつ他の各ユーザーのそれぞれの複数のモバイル電子通信装置から受信されたそれぞれの入力データから生成されたそれぞれの前記出力データを送信する段階とを含む。
【００２３】
上記の実施形態では、この特定のユーザーのモバイル電子通信装置は、前記ユーザーのうちでこの特定のユーザーのユーザー・プロファイルと同様のユーザー・プロファイルをもつユーザーに関連付けられた出力データのみを受信する。すると、各特定のユーザーによって受信される出力データは、受信される該出力データがユーザーの全人口に関連付けられる場合よりもよく推薦のはたらきをしうる。たとえば、ユーザー・プロファイルは、年齢、性別、職業、人種、国籍、社会階層、居住地などの任意の一つまたは複数を考慮に入れる人口学的プロファイルを含む。もう一つの例として、各ユーザーは前もって、公演芸術（performing  arts）イベントの主催者に登録しており、ジャンル、役者などに関する自分の選好を示している。さらにもう一つの例として、主催者は、前もって、一組の所定のユーザー・プロファイルを用意しており、そのうちから各ユーザーは自分の性格に最もよく合うものを選ぶことができる。
【００２４】
本発明の方法のもう一つの実施形態は：データ・ネットワーク上の一つまたは複数の特定の宛先アドレスを前記ユーザーのうちある特定のユーザーが前もって特定することができるようにする段階と；前記特定のユーザーが前記一つまたは複数の特定の宛先アドレスを指定したかどうかを判定する段階と；前記特定のユーザーが前もって前記一つまたは複数の特定の宛先アドレスを指定した場合にのみ、前記特定のユーザーの感情状態と前記特定のユーザーの地理的位置の組み合わされた制御のもとで生成された出力データを、前記一つまたは複数の特定の宛先アドレスに送る段階とを含む。
【００２５】
たとえば、前記特定のユーザーは、この特定のユーザーのモバイル電子通信装置によって提出された入力データに基づいて生成された出力データが第一の特定の宛先アドレス、第二の特定の宛先アドレスおよび第三の特定の宛先アドレスに送られることを前もって指定している。第一の特定の宛先アドレスは、自分の自宅のコンピュータまたはサーバー上で走っている自分のミニブログのネットワーク・アドレスである。このようにして、本サービスは、この特定のユーザーが、感情注釈および自分の感情の時間的発展の履歴ログまたは日記をつけることを可能にする。第二の特定の宛先アドレスは、友人のデータ通信設備（たとえば家庭のPC、携帯電話）のネットワーク・アドレスであり、第三の特定の宛先アドレスは、別の友人の別のデータ通信設備の別のネットワーク・アドレスである。このようにして、この特定のユーザーの友人は、このユーザーが離れている間に、この特定のユーザーの心情について通知され続ける。
【００２６】
本発明の方法のあるさらなる実施形態では、前記特定のユーザーは、前記特定の宛先アドレスとして、前記複数のモバイル電子通信装置のうちある特定のもののデータ・ネットワーク上の特定のアドレスを前もって指定している。
【００２７】
よって、前記特定のユーザーの感情状態および地理的位置ならびに該感情状態および地理的位置の変化についての情報が、前記複数のモバイル電子通信装置の一つまたは複数の特定のものに通信される。たとえば、前記情報は、たとえばローカルな履歴ログをつけるために、前記特定のユーザー自身の特定のモバイル電子通信装置に送られる。もう一つの例として、前記情報は、自分の友人の一つまたは複数の他のモバイル電子通信装置に送られる。後者の場合、感情状態およびその発展についての通知がこのユーザーの友人への連帯するための推薦のはたらきをしうる。
【００２８】
完全を期すため、前記モバイル電子通信装置の特定のものから受信された入力データから生成された出力データは、すべてのモバイル電子通信装置に一様である所定のネットワーク・アドレスに送られても、あるいはその特定のモバイル電子通信装置のユーザーによって前もって指定された一つまたは複数の所定の宛先アドレスに送られてもよい。
【００２９】
本発明の方法のあるさらなる実施形態は、それぞれの感情状態がある所定の基準に準拠する場合にのみそれぞれの出力データを処理することを含む。
【００３０】
たとえば、前記所定の基準は、誘意性が所定の極性をもつ、たとえば正であることを指定する。あるいはまた、前記所定の基準は、それぞれの感情状態が、ある地理的セクション内に存在するユーザーについて登録されている感情状態の多数派に属することを指定する。ディスプレイ・モニタ・スクリーンがあるイベントに参加している公衆に対して、モバイル電子通信装置のユーザーの感情状態および当該イベントによってカバーされている地理的領域内でのその地理的分布を示す例示的な応用シナリオを考えてみる。イベントの主催者は、現在正の感情を経験しているユーザーのグラフィック・シンボルのみを示すことに決めてもよい。あるいはまた、主催者は、地理的領域の地理的セクション当たり、その同じ地理的セクション内のユーザーの多数派の特定の感情状態に一致する感情状態をもつユーザーのグラフィック・シンボルのみを示すことに決めてもよい。
【００３１】
本稿において論じられ、いくつかの例によって例解されるように、入力データは、本発明におけるモバイル電子通信装置によってアップロードされ、たとえば本発明に基づくサービスのプロバイダーのサーバーによって受信される。入力データは、生理データ、注釈データおよび任意的に地理的データを含む。明確のため、ここで、入力データがデータ項目の時間的シーケンスをなすことを述べておく。アップロードされる各個別的なデータ項目は：１）その特定のデータ項目のアップロードの瞬間の直前の瞬間において生理パラメータが取る特定の値を表わす生理データ、２）その特定のデータ項目のアップロードの瞬間の直前の瞬間においてユーザーによって入力される特定の注釈を表わす注釈データ、および３）モバイル電子通信装置がナビゲーション補助を有するか否かに依存して、その特定のデータ項目のアップロードの瞬間の直前の瞬間におけるモバイル電子通信装置の特定の地理的位置を表わす地理的データの一つまたは複数を含む。
【００３２】
本発明はまた、ネットワーク・インターフェース、ユーザー・インターフェースおよびセンサー・インターフェースを有するモバイル電子通信装置にも関する。ネットワーク・インターフェースは、モバイル電子通信装置とデータ・ネットワークとの間のデータ通信のために構成されている。センサー・インターフェースは、モバイル電子通信装置のユーザーの生理状態を示す生理パラメータの値を感知するよう動作するセンサーからの信号を受信するよう構成されている。ユーザー・インターフェースは、ユーザーがモバイル電子通信装置に前記生理状態についての注釈を入力できるようにするよう構成されている。モバイル電子通信装置は、入力データをデータ・ネットワーク上の所定のアドレスに通信するよう構成されている。入力データは、それぞれの生理パラメータの値を表わす生理データおよび注釈を表わす注釈データを含む。
【００３３】
モバイル電子通信装置のある実施形態は、該モバイル電子通信装置がユーザーの生理状態の変化を検出する際に、自動的に、すなわちユーザーの介入なしに、前記生理データを入力データとして前記データ・ネットワーク上の所定のアドレスにアップロードするよう構成されている。たとえば、生理パラメータの値の範囲が二つ以上の部分範囲に分割される。生理パラメータの値がある範囲から別の範囲に変わるときは常に、生理データは入力データとしてアップロードされる。このアプローチでは、ユーザーの生理状態は、値が範囲を変える一対の相続く瞬間の間の時間期間中は不変であると考えられる。生理状態が変わらない限り、生理データをアップロードすることは不要である。このアプローチは、モバイル電子通信装置における電力および処理時間ならびにデータ・ネットワーク上の前記所定のアドレスに関連付けられている受信器における処理帯域幅を節約する。
【００３４】
モバイル電子通信装置のある実施形態では、ユーザー・インターフェースは、一つまたは複数の所定のユーザー選択可能オプションのメニューを呈示するためのグラフィカル・ユーザー・インターフェースを含む。前記一つまたは複数の所定のユーザー選択可能オプションの個別的なそれぞれは、ユーザーの一つまたは複数の可能な感情状態のうちの特定のものを示す。ユーザー・インターフェースは、ユーザーがグラフィカル・ユーザー・インターフェースにおいて前記一つまたは複数のユーザー選択可能オプションのうち特定のものを選択することによって、ユーザーが生理状態についての注釈をモバイル電子通信装置に入力することを可能にする。
【００３５】
この実施形態は、ユーザーがユーザー・フレンドリーかつスピーディーな仕方で注釈を入力できるようにされるよう、可能な注釈を表わすグラフィック・シンボルをもつあらかじめ構成されたメニューを使う。
【００３６】
たとえば、メニュー中の各特定のユーザー選択可能オプションは、グラフィカル・ユーザー・インターフェースにおいて、ユーザーに対して特定の感情を意味的に伝達する特定のグラフィック・シンボルとして表現される。グラフィック・シンボルは、たとえば製造業者によってモバイル電子通信装置にプログラムされていてもよく、固定されている。あるいはまた、グラフィック・シンボルは、モバイル電子通信装置のユーザーによってプログラム可能または再プログラム可能である。たとえば、ウェブ・サービスが多様なグラフィック・シンボルを提供することがあり、その中からユーザーは個人的なセットを選択することができ、ユーザーはその個人的なセットを自分のモバイル電子通信装置にダウンロードすることができる。もう一つの例として、ユーザー自身がグラフィック・シンボルをデザインするかウェブから好適なグラフィック・シンボルをダウンロードするかして、該グラフィック・シンボルを上記メニューにおいて使うためにモバイル電子通信装置においてインストールしてもよい。
【００３７】
モバイル電子通信装置のある実施形態は、モバイル電子通信装置の地理的位置を判別するよう構成されたナビゲーション補助を有する。前記入力データは、モバイル電子通信装置の地理的位置を表わす地理的データを含む。
【００３８】
よって、この実施形態のモバイル電子通信装置は、地理的データを所定のアドレスにアップロードして、受信器が当該モバイル電子通信装置の地理的位置を判別できるようにする。モバイル電子通信装置は、該モバイル電子通信装置が所定の基準に基づいて地理的位置の変化を検出する際に、地理的データをアップロードするのみとするよう構成されていてもよい。たとえば、モバイル電子通信装置がある地理的領域の所定のセクション内に留まる限りは、モバイル電子通信装置は地理的データをアップロードしない。モバイル電子通信装置がある所定のセクションから別の所定のセクションに動くとすぐに、モバイル電子通信装置は地理的データをアップロードする。もう一つの例として、モバイル電子通信装置は時計の制御のもとに地理的データのシーケンスをアップロードする。その場合、ある瞬間にアップロードされる地理的データは、その瞬間におけるモバイル電子通信装置の地理的位置を表わす。さらにもう一つの例として、モバイル電子通信装置は、単位時間当たりの地理的位置の変化の大きさの制御のもとに、地理的データをアップロードするよう構成される。モバイル電子通信装置は、該モバイル電子通信装置が、よってユーザーが素速く動いているときは、モバイル電子通信装置がゆっくり動いているまたは同じ地理的位置に留まっている場合よりも頻繁に、一連の地理的データをアップロードする。このようにして、受信器において前記地理的位置から導出されるモバイル電子通信装置の地理的位置は、、受信器において地理的データを連続的に受信して処理する必要なしに、正確なままとなる。
【００３９】
本発明はまた、ネットワーク・インターフェース、センサー・インターフェースおよびユーザー・インターフェースをもつモバイル電子通信装置上にインストールされるよう構成された制御ソフトウェアにも関する。ネットワーク・インターフェースは、モバイル電子通信装置とデータ・ネットワークとの間のデータ通信のために構成されている。センサー・インターフェースは、センサーからのセンサー信号を受信するよう構成されている。センサーは、モバイル電子通信装置のユーザーの生理状態を示す生理パラメータの値を感知するよう動作する。ユーザー・インターフェースは、ユーザーがモバイル電子通信装置と対話できるようにするよう構成されている。本制御ソフトウェアは：生理パラメータの値を表わす生理データを生成するためにセンサー信号を処理するための第一の命令と；ユーザーによってユーザー・インターフェースを介してモバイル電子通信装置に入力された注釈を表わす注釈データをユーザー・インターフェースから受領するための第二の命令と；生理データおよび注釈データを含む入力データを生成するための第三の命令と；データ・ネットワークを介して入力データを、該データ・ネットワーク上の一つまたは複数の所定の宛先に送信するための第四の命令とを含む。
【００４０】
前記制御ソフトウェアは、コンピュータ可読媒体、たとえば磁気ディスクおよび光ディスク、半導体メモリなどに記憶されて提供されてもよいし、あるいはインターネットまたは他のデータ・ネットワークを介してダウンロードされるための電子ファイルとして提供されてもよい。
【００４１】
モバイル電子通信装置は、ネットワーク・インターフェース、センサー・インターフェースおよびユーザー・インターフェースを備えるものとして特定された。そのような装置はパームトップPC、スマートフォンまたは他の携帯電話によって具現されてもよい。前記ソフトウェアをそのような装置上にインストールして好適なセンサーを接続することで、前記装置は、モバイル電子通信装置に言及して上記したように機能するための準備がされる。今日ではほとんど誰でも携帯電話を有しているので、上記で特定したモバイル電子通信装置の実施形態における本発明を実装するために必要とされるのは、前記制御ソフトウェアおよび好適なセンサーだけである。
【００４２】
前記制御ソフトウェアのある実施形態では、前記制御ソフトウェアは、ユーザーの生理状態における変化を検出するための第五の命令を含み、前記第四の命令は、ユーザーの生理状態における検出された変化の際に、データ・ネットワーク上の所定のアドレスに前記入力データにおける生理データを自動的にアップロードするための第六の命令を含む。
【００４３】
前記制御ソフトウェアのある実施形態では、前記ユーザー・インターフェースはグラフィカル・ユーザー・インターフェースを有する。前記制御ソフトウェアは、一つまたは複数の所定のユーザー選択可能オプションのメニューを呈示するための第七の命令を含む。前記一つまたは複数の所定のユーザー選択可能オプションの各個別的なものは、ユーザーの一つまたは複数の可能な感情状態のうちの特定のものを示す。前記制御ソフトウェアは、ユーザーがグラフィカル・ユーザー・インターフェースにおいて前記一つまたは複数のユーザー選択可能オプションのうちのある特定のものを選択するのに応答して、前記注釈データを生成するための第八の命令を含む。
【００４４】
前記制御ソフトウェアのある実施形態では、前記モバイル電子通信装置は、モバイル電子通信装置の地理的位置を判別するよう構成されたナビゲーション補助を有する。前記制御ソフトウェアのある実施形態は、モバイル電子通信装置の地理的位置を表わす地理的データを生成するための第九の命令と；前記地理的データを含む前記入力データを生成するための第十の命令とを含む。
【００４５】
本発明について、複数の実施形態に言及して上記で例解してきた。異なる実施形態の特徴的な事項が組み合わされて本発明のさらに他の実施形態をなすこともできることをここで述べておく。たとえば、本発明の方法のもう一つの実施形態は、データ・ネットワーク上の一様な所定のアドレスに前記ユーザーのうちの各ユーザーについてのそれぞれの前記出力データを送信することならびに前記ユーザーのうちの特定のユーザーの、前記複数のモバイル電子通信装置の特定のものに、前記ユーザーの他の各ユーザーのそれぞれの複数のモバイル電子通信装置から受信されたそれぞれの入力データから生成されたそれぞれの前記出力データを送信することを含む。
【図面の簡単な説明】
【００４６】
本発明は、例として、付属の図面を参照してさらに詳細に説明される。
【図１】本発明のシステムのブロック図である。
【図２】本発明におけるプロセスの図である。  図面を通じて、同様のまたは対応する特徴は同じ参照符号で示されている。
【発明を実施するための形態】
【００４７】
図１は、本発明に基づくシステム１００のブロック図である。システム１００は、第一のモバイル電子通信装置１０２、第二のモバイル電子通信装置１０４、第三のモバイル電子通信装置１０６、第四のモバイル電子通信装置１０８および第五のモバイル電子通信装置１１０のような複数のモバイル電子通信装置１０１を含んでいる。
【００４８】
第一のモバイル電子通信装置１０２は第一のセンサー１１２を有する。第一のセンサー１１２は、生理パラメータの第一の値を感知するよう構成されている。生理的パラメータの第一の値は、第一のモバイル電子通信装置１０２のユーザーの生理状態を示す。第一のモバイル電子通信装置１０２のユーザーは、本稿の残りの部分では「第一のユーザー」と称される。第一のセンサー１１２は、二つ以上の異なる生理パラメータの値を感知するよう構成されていてもよい。すなわち、第一のセンサー１１２は、第一の生理パラメータの第一の値および第一の生理パラメータとは異なる別の生理パラメータの別の値を感知するよう構成されていてもよい。その場合、前記生理パラメータの前記第一の値および前記別の生理パラメータの前記別の値が、第一のユーザーの生理状態を示す。
【００４９】
第一のモバイル電子通信装置１０２は図１では第一のセンサー１１２を収容するものとして示されている。第二のモバイル電子通信装置１０４は図１では、第二のモバイル電子通信装置１０４の外部の第二のセンサー１１４に接続されているものとして示されている。第二のセンサー１１４は、第一のセンサー１１２によって感知される生理パラメータと同じ型であってもよいが、その必要はない生理パラメータの第二の値を感知するよう構成されている。たとえば、第一のセンサー１１２は第一のユーザーの心拍数または脈拍数を感知するよう構成されている一方、第二のセンサー１１４は第二のユーザーの電気皮膚応答を感知するよう構成される。
【００５０】
第三のモバイル電子通信装置１０６、第四のモバイル電子通信装置１０８および第五のモバイル電子通信装置１１０のそれぞれは、それぞれのセンサー（図示せず）を有する、すなわちそれぞれのセンサーを収容しているまたはそれぞれのセンサーに接続されている。それぞれのセンサーは、それぞれの生理パラメータのそれぞれの値を感知するよう構成されている。生理パラメータのそれぞれの値は、第二のモバイル電子通信装置１０４（すなわち「第二のユーザー」）、第三のモバイル電子通信装置１０６（すなわち「第三のユーザー」）、第四のモバイル電子通信装置１０８（すなわち「第四のユーザー」）および第五のモバイル電子通信装置１１０（すなわち「第五のユーザー」）のそれぞれのもののユーザーの生理状態を示す。
【００５１】
第一のモバイル電子通信装置１０２はさらに、データ・ネットワーク１２０を介してサーバー１１８とのデータ通信ができるよう、第一のネットワーク・インターフェース１１６を有する。同様に、第二のモバイル電子通信装置１０４、第三のモバイル電子通信装置１０６、第四のモバイル電子通信装置１０８および第五のモバイル電子通信装置１１０のそれぞれは、データ・ネットワーク１２０を介してサーバー１１８とのデータ通信ができるよう、それぞれのネットワーク・インターフェース（図示せず）を有する。
【００５２】
サーバー１１８は、第一のモバイル電子通信装置１０２から第一の入力データを、第二のモバイル電子通信装置１０４から第二の入力データを、第三のモバイル電子通信装置１０６から第三の入力データを、第四のモバイル電子通信装置１０８から第四の入力データを、第五のモバイル電子通信装置１１０から第五の入力データを受領するよう動作する。第一の入力データは、第一のモバイル電子通信装置の第一のセンサー１１４によって感知された生理パラメータの第一の値を表わす第一の生理データを含む。第二の入力データは、第二のモバイル電子通信装置１０４において収容されているセンサーによって感知された生理パラメータの第二の値を表わす第二の生理データを含む。第三の入力データは、第三のモバイル電子通信装置１０６において収容されているセンサーによって感知された生理パラメータの第三の値を表わす第三の生理データを含む、などとなる。
【００５３】
複数のモバイル電子通信装置１０１のいずれも、関連するユーザーの身につけられるまたは該ユーザーの近くに位置される関連するセンサーを収容するコンポーネントに機能的に接続されている、たとえば携帯電話、スマートフォンまたはネットワーク対応パームトップPCであってもよい。該接続は有線接続でも無線接続でもよい。前記の携帯電話、スマートフォンおよびネットワーク対応パームトップPCは、一般的なモバイル電子通信装置の例である。そのような一般的なモバイル電子通信装置は、上記で先述したように専用の制御ソフトウェア１０３をインストールすることによって本発明に従って動作するよう構成される。あるいはまた、前記複数のモバイル電子通信装置１０１の任意のものが、関連するセンサーが機能的なコンポーネントとなっている専用の、ネットワーク対応のバイオセンサー・システムとして設計される。
【００５４】
サーバー１１８はさらに、それぞれのモバイル電子通信装置のそれぞれのユーザーのそれぞれの感情状態を判別するために、前記複数のモバイル電子通信装置１０１のそれぞれから受信されるそれぞれの入力データを処理するよう動作する。すなわち、サーバー１１８は、第一のユーザーの第一の感情状態を決定するために第一の入力データを、第二のユーザーの第二の感情状態を決定するために第二の入力データを、第三のユーザーの第三の感情状態を決定するために第三の入力データを処理するなどとなる。
【００５５】
特定のユーザーの個別的な感情状態の決定は、その特定のユーザーのモバイル電子通信装置から受信された生理データのみに基づいていてもよい。すなわち、サーバー１１８は、該生理データを、所定のアルゴリズムに従って、複数の所定の感情状態の一つにマッピングするよう構成されていてもよい。あるいはまた、サーバー１１８は、最も最近受信された前記生理データと、以前の機会に受信された一つまたは複数の生理データとの組み合わせを、所定のアルゴリズムに従って、複数の所定の感情状態の一つにマッピングするよう構成される。代替的または追加的に、特定のユーザーの感情状態の決定は、生理データと、前記特定のユーザーからのその特定のユーザーのモバイル電子通信装置へのユーザー入力に応答して生成される注釈との組み合わせに基づく。
【００５６】
たとえば、第一のモバイル電子通信装置１０２は、ユーザーが第一のモバイル電子通信装置に自分の生理状態についての注釈を入力できるユーザー・インターフェース１２２を有する。注釈は、ユーザーの現在の感情状態を表わす。たとえば、注釈は、ユーザーの現在の感情状態を記述するまたは他の仕方で表現する、あるいはユーザーの現在の感情状態の誘意性を示す。「誘意性」の概念は先に論じてある。ある実装では、第一のモバイル電子通信装置１０２のユーザー・インターフェース１２２は、第一のユーザーが、特定の誘意性を表わすまたは所定の誘意性をもつ特定の感情を表わす多様なあらかじめ決定されたメニュー・オプションのうちの特定のものを選択できるようにする。ユーザー・インターフェース１２２は、たとえば、ユーザーが読める指示をもつハード・ボタン、スライダーまたは回転ダイヤルにユーザーが読める指示をもつスケールを合わせたものの事前構成されたセットを、あるいはメニュー内のソフトキーをもつグラフィカル・ユーザー・インターフェース、音声認識コンポーネントなどを含む。
【００５７】
よって、第一のユーザーは、ユーザー・インターフェース１２２において現在適用可能な誘意性および／または自分の現在適用可能な感情状態を指示することによって、第一のモバイル電子通信装置に注釈を入力できる。第一のユーザーが注釈を入力するのに応答して、モバイル電子通信装置１０２は、第一の入力データの一部としてサーバー１１８に送られる第一の注釈データを生成する。
【００５８】
第一のモバイル電子通信装置１０２について「注釈」概念に関して上記で特定したことは、前記複数のモバイル電子通信装置１０１の他のそれぞれにも準用される。たとえば、第二のモバイル電子通信装置１０４の第二のユーザーの感情は、第二のモバイル電子通信装置１０４におけるセンサーによって感知された生理パラメータの値から導出される生理データから決定されてもよく、あるいは第二のモバイル電子通信装置１０４は、第二のユーザーが第二のモバイル電子通信装置１０４に第二のユーザーの現在の感情状態を表わす自分の生理状態についての注釈を入力できるようにするさらなるユーザー・インターフェース（図示せず）を有する。第二のモバイル電子通信装置１０４は注釈データを生成し、第二の入力データの一部としてサーバー１１８に送られる。
【００５９】
よって、サーバー１１８は、前記複数のモバイル電子通信装置１０１のそれぞれからそれぞれの入力データを受領し、それぞれのユーザーのそれぞれの感情状態を決定するためにそれぞれの入力データを処理する。
【００６０】
サーバー１１８はまた、前記複数のモバイル電子通信装置１０１のそれぞれの、よってそれぞれのユーザーのそれぞれの地理的位置を決定するよう動作する。
【００６１】
たとえば、第一のモバイル電子通信装置１０２は、第一のモバイル電子通信装置１０２の現在の第一の地理的位置を表わす第一の地理的データを生成するためのGPS受信器１２４を含んでおり、第一の地理的データを第一の入力データの一部としてサーバー１１８に送る。
【００６２】
もう一つの例として、第二のモバイル電子通信装置１０４は、第二のユーザーが第二のモバイル電子通信装置１０４に自分の現在の地理的位置について情報を入力できるユーザー・インターフェース（図示せず）を有する。第二のモバイル電子通信装置１０４は、第二のユーザーの地理的位置を表わす第二の地理的データを生成するよう構成されており、第二の地理的データを第二の入力データの一部としてサーバー１１８に送る。
【００６３】
さらにもう一つの例として、システム１００はモニタリング・システム（図示せず）を有する。前記モニタリング・システムは、前記複数のモバイル電子通信装置１０１のユーザーを、該ユーザーが前記モニタリング・システムによってカバーされる特定の地理的領域内にいる間、モニタリングするよう構成されている。前記モニタリング・システムはたとえば、音楽ホール、町の公園、市街の広場または他の地理的領域のような、これらのユーザーが参加するある種のイベントが行なわれている特定の地理的領域をカバーするカメラ・システムを含む。
【００６４】
よって、サーバー１１８は、前記複数のモバイル電子通信装置１０１のそれぞれから受信されるそれぞれの入力データを処理し、それぞれの出力データを生成する。それぞれの出力データは、それぞれのユーザーのそれぞれの感情状態ならびに前記複数のモバイル電子通信装置１０１のそれぞれの、よってそれぞれのユーザーのそれぞれの地理的位置を表わす。
【００６５】
前記複数のモバイル電子通信装置１０１のユーザーがある特定の地理的領域において催されているグループ・イベントまたは公共イベントに参加している第一の応用シナリオを考える。そのようなイベントの例は、たとえば、サッカーの試合、音楽祭、ビューリー（英国）における年二回の国際自動車ノミの市、ダンス・フェスティバル、コンサート、美術オークション、抗議の行進、政治集会、村のバーベキューまたは他の社交的集まり、会議、ラスベガスで毎年開催されるコンシューマー・エレクトロニクス・ショー（CES）等々である。サーバー１１８は、前記複数のモバイル電子通信装置１０１のそれぞれから受信されたそれぞれの入力データから生成されたそれぞれの出力データを、特定の地理的領域にローカルでありデータ・ネットワーク１２０に接続されたディスプレイ・モニタ・システム１２４に送信する。ディスプレイ・モニタ・システム１２４は、前記複数のモバイル電子通信装置１０１の各ユーザーにとってアクセス可能な、あるいは前記グループ・イベントまたは公共イベントに参加しているすべての人々にとってアクセス可能な一つまたは複数のディスプレイ・モニタ（図示せず）を有する。ディスプレイ・モニタ・システム１２２は、サーバー１１８からそれぞれの出力データを受信して、それぞれの出力データの制御のもとで、前記一つまたは複数のディスプレイ・モニタ上にそれぞれのグラフィック表現を生成する。各グラフィック表現は、前記複数のモバイル電子通信装置１０１のそれぞれのもののそれぞれのユーザーのそれぞれの感情状態ならびにその特定の地理的領域内のそれぞれのユーザーのそれぞれの地理的位置を示す。たとえば、ディスプレイ・モニタのスクリーン上のそれぞれのグラフィック表現のそれぞれの位置が、その特定の地理的領域内のそれぞれのユーザーのそれぞれの地理的位置を示し、それぞれのグラフィック表現のそれぞれのグラフィック属性（たとえば色、陰影、形またはシンボル）はそれぞれのユーザーの感情状態を示す。イベントにおける人々が共通の環境（ここではイベント）からの特定の型の刺激に対して同様の仕方で感情的に応答すると想定すると、ディスプレイ・モニタ・システム１２２は、イベントの参加者に対して、地理的領域のどのセクションがどのような種類の感情を惹起しているかについての情報を提供し、それはある種のセクションを避ける、あるいはある種の他のセクションを訪れるためのガイドのはたらきをしうる。
【００６６】
前記複数のモバイル電子通信装置１０１のユーザーがある特定の地理的領域において催されているグループ・イベントまたは公共イベントに参加している第二の応用シナリオを考える。サーバー１１８は、前記それぞれの入力データを受信し、該それぞれの入力データを処理して前記それぞれの出力データを生成する。それぞれの出力データは、前記ユーザーのうちそれぞれのユーザーの現在の感情状態および現在の地理的位置を表わす。前記ユーザーのうちの各特定のユーザーは、自分のモバイル電子通信装置によって提出された特定の入力データに基づいて生成された前記特定の出力データがデータ・ネットワーク１２０上の一つまたは複数の特定のアドレスに送信されることを前もって指定している。たとえば、第一のモバイル電子通信装置１０２の第一のユーザーは、第一のモバイル電子通信装置１０２からサーバー１１８によって受信される第一の入力データに基づいて生成される第一の出力データが自宅にある自分のネットワーク対応パーソナル・コンピュータ（PC）１２６および友人のスマートフォン１２８に送信されることを前もって指定している。第二のモバイル電子通信装置１０４の第二のユーザーは、第二のモバイル電子通信装置１０４からサーバー１１８によって受信される第二の入力データに基づいて生成される第二の出力データがミニブログ・サービスの別のサーバー１３０に送信されることを前もって指定している。第三のモバイル電子通信装置１０６の第三のユーザーは、第三のモバイル電子通信装置１０６からサーバー１１８によって受信される第三の入力データに基づいて生成される第三の出力データが前記第一のモバイル電子通信装置１０２および前記第四のモバイル電子通信装置１０８に送信されることを前もって指定している。第一のユーザー、第三のユーザーおよび第四のユーザーはたまたまその公共イベントに参加している友人どうしである。第一のモバイル電子通信装置１０２および第四のモバイル電子通信装置１０８は、データ・ネットワーク１２０を介してデータを受信し、受信データを第一のモバイル電子通信装置１０２および第四のモバイル電子通信装置１０８のそれぞれに収容されているそれぞれのディスプレイ・モニタ上にレンダリングするよう構成されている。上記の第二の応用シナリオでは、前記複数のモバイル電子通信装置１０１のユーザーのうち特定のユーザーは、上記イベントに参加している間、自分の感情状態について一または複数の他の個人に通知し続ける。
【００６７】
サーバー１１８が、前記複数のモバイル電子通信装置１０１のうちの特定のものから受信された特定の入力から生成された特定の出力データを、データ・ネットワーク１２０上の一つまたは複数の特定の宛先に選択的に送ることができるために、サーバー１１８は、データベース１３２を有している。データベース１３２は、第一のユーザー、第二のユーザー、第三のユーザー、第四のユーザーおよび第五のユーザーのそれぞれについて、前もってそれぞれのユーザーによって指定された前記一つまたは複数のそれぞれの宛先を表わすそれぞれの宛先データを記憶している。
【００６８】
サーバー１１８が、前記ユーザーのうちの各特定のユーザーについて、たとえば宣言された選好、人口学的情報などに基づいて特定のユーザー・プロファイルを記憶するもう一つのデータベース１３４を有する第三の応用シナリオを考える。サーバー１１８は、前記モバイル電子通信装置１０１のうち、対応するユーザーが第一のユーザーのユーザー・プロファイルにマッチするそれぞれのユーザー・プロファイルをもつような他のそれぞれによって提出されたそれぞれの入力データから生成されたそれぞれの出力データを、たとえば第一のモバイル電子通信装置１０２に送信する。すなわち、第一のユーザーの第一のモバイル電子通信装置１０２は、サーバー１１８から、該第一のユーザーのユーザー・プロファイルにマッチするユーザー・プロファイルをもつ他のユーザーのうちの任意の者の感情および地理的位置を表わす出力データを受信する。すると、第一のユーザーは、その地理的領域内のどこに同じ心情の人々がいるかを判別できる。代替的または追加的に、サーバー１１８は、同様のユーザー・プロファイルをもつ人々の感情の集群に基づいて、第一のモバイル電子通信装置１０２に、その地理的領域のどの地理的セクションが同じ心情の人々を含む可能性が現在高いかに関する推薦を送る。
【００６９】
図２は、本発明に基づくプロセス２００の図である。プロセス２００は、前記複数１０１のモバイル電子通信装置の個々のそれぞれに適用可能なデータの処理を示している。
【００７０】
プロセス２００の第一段階２０２では、入力データが特定のモバイル電子通信装置、たとえば第一のモバイル電子通信装置１０２から現在受信される。
【００７１】
第二段階２０４では、その特定のモバイル電子通信装置のユーザーの現在の感情状態が、第一段階２０２において受信された現在の入力データに基づいて決定される。入力データは、バイオセンサーによって感知される単一の生理パラメータの一つまたは複数の値を表わす生理データを有する。生理データは複数のセットを表わし、個々の各セットが複数の生理パラメータのうちの特定の一つのパラメータの一つまたは複数の値を含んでいてもよい。先述したように、現在の感情の誘意性は、前記一つまたは複数の生理パラメータの現在の値から信頼できる形で推定することはできない。よって、入力データは、ユーザーによって意図的に特定のモバイル電子通信装置に該装置のユーザー・インターフェースを介して入力された注釈を表わす注釈データをも含む。次いで注釈は、ユーザーからの自分の感情状態についての主観的なコメントとして解釈される。ユーザーの現在の感情状態は、現在の生理データおよび現在の注釈データの組み合わせから推定される。
【００７２】
第三段階２０６では、その特定のモバイル電子通信装置のユーザーの現在の地理的位置が決定される。ユーザーの現在の地理的位置は多様な仕方で決定されうる。たとえば、ユーザーはコンピュータ制御された識別およびCCTVモニタリング・システムを使って追跡される。もう一つの例では、ユーザーはRFビーコンを与えられ、その地理的位置が外部検出器を通じて決定される。たとえば、ビーコンは、一つまたは複数の検出器によって受信される信号を送信する。次いで、ビーコン毎に受信される信号の強さは、たとえば一つまたは複数のビーコンへの近接性に基づいて、あるいは三角測量を通じて、そのビーコンの位置を決定するために使用されることができる。もう一つの例として、ユーザーはRFタグを与えられ、その地理的位置が一つまたは複数の外部検出器を介して決定される。該検出器は、ユーザーが近接レンジ内で検出器を通過するたびにRFタグと対話する。ユーザーの現在の地理的位置は、本発明の目的については実際上、特定のモバイル電子通信装置の現在の地理的位置に等しい。すると、ユーザーの現在の地理的位置は、たとえば入力データの一部として受信される地理的データから決定されることができる。地理的データは、その特定のモバイル電子通信装置において収容されているナビゲーション補助によって生成されたものでもよい。あるいはまた、ユーザーがその特定のモバイル電子通信装置に、自分の所在を示す注釈を入力したのでもよい。あるいはまた、ユーザーの現在の地理的位置は、前記入力データを搬送する前記特定のモバイル電子通信装置からの信号の強さからおよび／または三角測量から決定される。
【００７３】
第二段階２０４および第三段階２０６は、互いに前後してこの順に、あるいは逆順に実行されてもよく、あるいは第二段階２０４および第三段階２０６は互いから独立して、たとえば実質的に同時に実行されてもよい。
【００７４】
第四段階２０８では、第二段階２０４で決定された現在の感情状態および第三段階２０６で決定された現在の地理的位置の組み合わされた制御のもとで、出力データが生成される。したがって、現在の出力データは、ユーザーの現在の感情状態および現在の地理的位置を表わす。次いでこの出力データは、たとえば、ディスプレイ・モニタのスクリーン上に記号的にユーザーを表わすために使用されることができ、あるいはこのユーザーの日記のはたらきをしうる履歴ログに送られ、その日のさまざまな瞬間における感情状態および地理的位置を与えることができる。
【００７５】
第五段階２１０では、データ・ネットワーク１２０上のどの宛先（単数または複数）にこのユーザーについての現在の出力データが送信されるべきかが決定される。前記一つまたは複数の宛先は前もって決定されていてもよい。前記一つまたは複数のあらかじめ決定された宛先は、現在の感情状態および／または現在の地理的位置に依存してもよい。たとえば、特定のモバイル電子通信装置のユーザーは、前もって、感情状態の誘意性が正である場合にのみある種の宛先に出力データが送信されることを指定している。代替的または追加的に、ユーザーは、その特定のモバイル電子通信装置のユーザーのユーザー・プロファイルにマッチするユーザー・プロファイルをもつユーザーに対応する他のモバイル電子通信装置に出力データが送信されることを指定していてもよい。
【００７６】
第六段階２１２では、現在の出力データは、データ・ネットワーク１２０を介して、第五段階２１０で決定された前記一つまたは複数の宛先に送信される。
【００７７】
第六段階２１２後、プロセス２００は第七段階２１４にはいる。
【００７８】
第七段階２１４では、プロセス２００は、次の処理サイクルの開始まで待つ。ここで、プロセス２００は第一段階２０２に戻る。現在入力データとなる次の入力データが次のサイクルの第一段階２０２においてその特定のモバイル電子通信装置から受信されるときに、次の処理サイクルが始まる。
【図１】
2014535114.tif 000003
【図２】
2014535114.tif 000004
【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
データ・ネットワーク上でサービスを提供する方法であって：
当該方法は、複数のユーザーのそれぞれの、複数のモバイル電子通信装置のそれぞれから、前記データ・ネットワークを介して、それぞれの入力データを受信する段階を含み、
各モバイル電子通信装置は、それぞれのセンサーおよびそれぞれのユーザー・インターフェースを有しており、
前記それぞれのセンサーは、それぞれのユーザーのそれぞれの生理状態を示すそれぞれの生理パラメータのそれぞれの値を感知するよう構成されており、
前記それぞれのユーザー・インターフェースは、それぞれのユーザーがそれぞれのモバイル電子通信装置に、それぞれの生理状態についてのそれぞれの注釈を入力できるようにするよう構成されており、
前記それぞれの入力データは：
それぞれの生理パラメータのそれぞれの値を表わすそれぞれの生理データ；および
それぞれの注釈を表わすそれぞれの注釈データを含み、
当該方法はさらに：
それぞれのユーザーのそれぞれの感情状態を判別するために前記それぞれの入力データを処理する段階と；
それぞれのモバイル電子通信装置のそれぞれの地理的位置を判別する段階と；
前記それぞれの感情状態および前記それぞれの地理的位置の組み合わされた制御のもとで、それぞれの出力データを生成する段階と；
前記データ・ネットワーク上のディスプレイ・モニタ・システムの一様な所定のアドレスに、前記ユーザーのうち各ユーザーについての前記それぞれの出力データを送信する段階とを含む、
方法。
【請求項２】
前記ユーザーのうちのある特定のユーザーの、前記複数のモバイル電子通信装置のうちの特定のものに、前記ユーザーのうちの他の各ユーザーのそれぞれの複数のモバイル電子通信装置から受信されたそれぞれの入力データから生成されたそれぞれの前記出力データを送信する段階を含む、請求項１記載の方法。
【請求項３】
前記複数のユーザーの各個別のユーザーについて、個別的なユーザー・プロファイルを決定する段階と；
前記ユーザーのうちのある特定のユーザーの、前記複数のモバイル電子通信装置のうちの特定のものに、前記ユーザーのうち前記個別的なユーザー・プロファイルにマッチするそれぞれのユーザー・プロファイルをもつ他の各ユーザーのそれぞれの複数のモバイル電子通信装置から受信されたそれぞれの入力データから生成されたそれぞれの前記出力データを送信する段階とを含む、
請求項１記載の方法。
【請求項４】
前記ユーザーのうちある特定のユーザーが、前記データ・ネットワーク上の一つまたは複数の特定の宛先アドレスを前もって特定することができるようにする段階と；
前記特定のユーザーが前記一つまたは複数の特定の宛先アドレスを指定しているかどうかを判定する段階と；
前記特定のユーザーが前もって前記一つまたは複数の特定の宛先アドレスを指定している場合にのみ、前記特定のユーザーの感情状態と前記特定のユーザーの地理的位置の組み合わされた制御のもとで生成された前記出力データを、前記一つまたは複数の特定の宛先アドレスに送る段階とを含む、
請求項１記載の方法。
【請求項５】
前記特定のユーザーが、前記特定の宛先アドレスとして、前記複数のモバイル電子通信装置のうちある特定のものの前記データ・ネットワーク上の特定のアドレスを前もって指定している、請求項４記載の方法。
【請求項６】
前記それぞれの感情状態がある所定の基準に従っている場合にのみ前記それぞれの出力データを処理することを含む、請求項１記載の方法。
【請求項７】
前記それぞれのモバイル電子通信装置が該それぞれのモバイル電子通信装置のそれぞれの地理的位置を決定するためのそれぞれのナビゲーション補助を有し、
前記それぞれの入力データが前記それぞれの地理的位置を表わすそれぞれの地理的データを含む、
請求項１記載の方法。
【請求項８】
ネットワーク・インターフェース、ユーザー・インターフェースおよびセンサー・インターフェースを有するモバイル電子通信装置であって、
前記ネットワーク・インターフェースは、当該モバイル電子通信装置とデータ・ネットワークとの間のデータ通信のために構成されており、
前記センサー・インターフェースは、当該モバイル電子通信装置のユーザーの生理状態を示す生理パラメータの値を感知するよう動作するセンサーからの信号を受信するよう構成されており、
前記ユーザー・インターフェースは、ユーザーが当該モバイル電子通信装置に前記生理状態についての注釈を入力できるようにするよう構成されており、
当該モバイル電子通信装置は、入力データを前記データ・ネットワーク上のディスプレイ・モニタ・システムの所定のアドレスに通信するよう構成されており、
前記入力データは、それぞれの前記生理パラメータの値を表わす生理データおよび前記注釈を表わす注釈データを含み、
当該モバイル電子通信装置はさらに、当該モバイル電子通信装置の地理的位置を判別するよう構成されたナビゲーション補助を有しており、
前記入力データは、当該モバイル電子通信装置の地理的位置を表わす地理的データを含む、モバイル電子通信装置。
【請求項９】
当該モバイル電子通信装置がユーザーの生理状態の変化を検出する際に、自動的に、前記生理データを入力データとして前記データ・ネットワーク上の前記所定のアドレスにアップロードするよう構成されている、請求項８記載のモバイル電子通信装置。
【請求項１０】
前記ユーザー・インターフェースが、一つまたは複数の所定のユーザー選択可能オプションのメニューを呈示するためのグラフィカル・ユーザー・インターフェースを含み、
前記一つまたは複数の所定のユーザー選択可能オプションの個別的なそれぞれは、ユーザーの一つまたは複数の可能な感情状態のうちの特定のものを示し、
前記ユーザー・インターフェースは、ユーザーが前記グラフィカル・ユーザー・インターフェースにおいて前記一つまたは複数のユーザー選択可能オプションのうち特定のものを選択することによって、ユーザーが生理状態についての注釈を当該モバイル電子通信装置に入力することを可能にする、
請求項８記載のモバイル電子通信装置。
【請求項１１】
ネットワーク・インターフェース、センサー・インターフェースおよびユーザー・インターフェースをもつモバイル電子通信装置上にインストールされるよう構成されている、コンピュータ記憶媒体上に記憶された、請求項１記載の方法を実行できるようにするための制御ソフトウェアであって：
前記ネットワーク・インターフェースは、前記モバイル電子通信装置とデータ・ネットワークとの間のデータ通信のために構成されており、
前記センサー・インターフェースは、センサーからのセンサー信号を受信するよう構成されており、前記センサーは、前記モバイル電子通信装置のユーザーの生理状態を示す生理パラメータの値を感知するよう動作し、
前記ユーザー・インターフェースは、ユーザーが前記モバイル電子通信装置と対話できるようにするよう構成されており、
当該制御ソフトウェアは：
生理パラメータの値を表わす生理データを生成するために前記センサー信号を処理するための第一の命令と；
ユーザーによって前記ユーザー・インターフェースを介して前記モバイル電子通信装置に入力された注釈を表わす注釈データを前記ユーザー・インターフェースから受領するための第二の命令と；
前記生理データおよび前記注釈データを含む入力データを生成するための第三の命令と；
前記データ・ネットワークを介して前記入力データを、前記データ・ネットワーク上の一つまたは複数の所定の宛先に送信するための第四の命令とを含む、
制御ソフトウェア。
【請求項１２】
当該制御ソフトウェアが、ユーザーの生理状態における変化を検出するための第五の命令を含んでおり、
前記第四の命令が、ユーザーの生理状態における検出された変化の際に、前記データ・ネットワーク上の前記所定のアドレスに前記入力データにおける前記生理データを自動的にアップロードするための第六の命令を含む、
請求項１１記載の制御ソフトウェア。
【請求項１３】
前記ユーザー・インターフェースはグラフィカル・ユーザー・インターフェースを有しており、
当該制御ソフトウェアは、一つまたは複数の所定のユーザー選択可能オプションのメニューを呈示するための第七の命令を含み、
前記一つまたは複数の所定のユーザー選択可能オプションの各個別的なものは、ユーザーの一つまたは複数の可能な感情状態のうちの特定のものを示し、
当該制御ソフトウェアは、ユーザーが前記グラフィカル・ユーザー・インターフェースにおいて前記一つまたは複数のユーザー選択可能オプションのうちのある特定のものを選択するのに応答して、前記注釈データを生成するための第八の命令を含む、
請求項１１記載の制御ソフトウェア。
【請求項１４】
前記モバイル電子通信装置は、前記モバイル電子通信装置の地理的位置を判別するよう構成されたナビゲーション補助を有しており、
当該制御ソフトウェアは：
前記モバイル電子通信装置の地理的位置を表わす地理的データを生成するための第九の命令と；
前記地理的データを含む前記入力データを生成するための第十の命令とを含む、
請求項１１記載の制御ソフトウェア。
【手続補正２】
【補正対象書類名】明細書
【補正対象項目名】０００６
【補正方法】変更
【補正の内容】
【０００６】
感情コンピューティングの分野では、人の生理パラメータをモニタリングおよび解析することによって人の感情状態を検出するために生理モニタリングを使うことが知られている。「感情コンピューティング」という表現は、人間の気持ちまたは感情を認識、解釈、処理およびシミュレートできるシステムおよび装置の分野をちう。感情コンピューティングは、コンピュータ科学、心理学、生理学および認知科学にまたがる学際的な分野である。
さらに、ウェアラブル・バイオセンサーの信号を医師または中央サーバーに通信するためにスマートフォンが使用されるリモート健康モニタリング・システムが文献（S.C.K.LAM  et  al.,"A  smartphone-centric  platform  for  personal  health  monitoring  using  wireless  wearable  biosensors",  2009-12-08,  INFORMATION,  COMMUNICATIONS  AND  SIGNAL  PROCESSING,  2009,  7TH  INTERNATIONAL  CONFERENCE  ON,  IEEE  PISCATAWAY,  NJ,  USA,  pp.1-7）に記載されている。
さらに、双極性障害の患者をモニタリングするためのウェアラブル・センサーの使用が開示されている（Alessandro  Puiatti  et  al.,  "Smartphone-centered  wearable  sensors  network  for  monitoring  patients  with  bipolar  disorder",  ENGINEERING  IN  MEDICINE  AND  BIOLOGY  SOCIETY,  EMBC,  2011  ANNUAL  INTERNATIONAL  CONFERENCE  OF  THE  IEEE,  IEEE  2011-08-30,  pp.3644-3647）。野外活動はたとえば、GPSセンサーにより検出できる。測定データに基づいて、スマートフォン・ベースのシステムが種々の感情を分類できる。データは医師に通信されることができる。
米国特許第7206602号は、種々の装置のアナログ電気信号が、由来するそれぞれの装置に依存して異なる仕方で処理される無線電話を開示している。
米国特許出願公開第2010/123588号は、ユーザーのムードを検出するためのセンサーをもつ装置、たとえば携帯電話を開示している。検出信号は別の装置に通信されることができ、そこでそれぞれの触覚フィードバックが生成される。
【国際調査報告】
2014535114.tif 000005
2014535114.tif 000006
2014535114.tif 000007